(57)【特許請求の範囲】
【請求項１】
イエローの紫外線硬化型インクを媒体に吐出するヘッドユニットと、
前記ヘッドユニットと対向する位置にて前記媒体を支持しつつ、前記媒体を搬送方向の下流側へ搬送する搬送ユニットと、
前記媒体上の前記紫外線硬化型インクに向けて紫外線を照射するＬＥＤ照射部であって、前記搬送方向の上流側の部位の照射面から前記媒体の支持部までの距離の方が、前記搬送方向の下流側の部位の照射面から前記媒体の支持部までの距離よりも長いＬＥＤ照射部と、
を備え、
前記ＬＥＤ照射部における前記搬送方向の上流側の部位は、前記照射面と交差する方向に移動可能であり、
第１モードが設定されている場合、前記ＬＥＤ照射部における前記搬送方向の上流側の部位の前記距離を、前記搬送方向の下流側の部位の前記距離よりも長くし、
前記第１モードで印刷される画像よりも高い光沢度の画像が印刷される第２モードが設定されている場合、前記ＬＥＤ照射部における前記搬送方向の上流側の部位の前記距離を、前記搬送方向の下流側の部位の前記距離と等しくする、
ことを特徴とする印刷装置。
【請求項２】
請求項１に記載の印刷装置であって、
前記ヘッドユニットは、シアンとマゼンタのうちの少なくとも一方の紫外線硬化型インクを前記媒体に吐出し、
前記シアンとマゼンタのうちの少なくとも一方の紫外線硬化型インクは、前記ＬＥＤ照射部のピーク波長の光を吸収する補助剤を含有する、
ことを特徴とする印刷装置。
【請求項３】
請求項１または請求項２に記載の印刷装置であって、
前記ヘッドユニットは、ブラックの紫外線硬化型インクを前記媒体に吐出することを特徴とする印刷装置。
【請求項４】
イエローの紫外線硬化型インクを吐出するヘッドユニットと、前記ヘッドユニットと対向する位置にて媒体を支持しつつ前記媒体を搬送方向の下流側へ搬送する搬送ユニットと、紫外線を照射するＬＥＤ照射部と、を備える印刷装置による印刷方法であって、
前記ヘッドユニットが前記媒体に前記紫外線硬化型インクを吐出することと、
前記ＬＥＤ照射部であって、前記搬送方向の上流側の部位の照射面から前記媒体の支持部までの距離の方が前記搬送方向の下流側の部位の照射面から前記媒体の支持部までの距離よりも長いＬＥＤ照射部が、前記搬送ユニットにより前記搬送方向の下流側へ搬送される前記媒体上の前記紫外線硬化型インクに向けて、紫外線を照射することと、
を備え、
前記ＬＥＤ照射部における前記搬送方向の上流側の部位は、前記照射面と交差する方向に移動可能であり、
第１モードが設定されている場合、前記ＬＥＤ照射部における前記搬送方向の上流側の部位の前記距離を、前記搬送方向の下流側の部位の前記距離よりも長くし、
前記第１モードで印刷される画像よりも高い光沢度の画像が印刷される第２モードが設定されている場合、前記ＬＥＤ照射部における前記搬送方向の上流側の部位の前記距離を、前記搬送方向の下流側の部位の前記距離と等しくする、
ことを特徴とする印刷方法。
【発明の詳細な説明】
【技術分野】
【０００１】
本発明は、印刷装置、及び、印刷方法に関する。
【背景技術】
【０００２】
印刷装置として、ヘッドに設けられたノズルから用紙などの媒体に向けてインク滴を吐出することによって、媒体に画像を印刷するインクジェットプリンター（以下、プリンター）が挙げられる。また、プリンターの中には、紫外線の照射により硬化する紫外線硬化型インクを使用するものがあり、紫外線の照射光源としてＬＥＤ素子を使用するものが提案されている（例えば、特許文献１参照）。このようなプリンターであれば、インク受容層をもたないプラスチックや金属などで形成された媒体にも画像を印刷することができる。
【先行技術文献】
【特許文献】
【０００３】
【特許文献１】特開２００５−２５４５６０号公報
【発明の概要】
【発明が解決しようとする課題】
【０００４】
高いインクＤｕｔｙで、即ち、単位面積当たりのインク吐出量を多くして、カラー画像を印刷すると、画像表面が平滑化されてしまうので、光沢度の低いマット調の画像を印刷することができない。一方、高いインクＤｕｔｙで印刷されたカラー画像であっても、その上にクリアインク滴を疎らに吐出することで、画像表面を凹凸化でき、マット調の画像を印刷することができる。ただし、カラー画像からクリアインク滴が剥がれ易く、耐擦性を確保できない。
【０００５】
そこで、本発明では、耐擦性のあるマット調の画像を印刷することを目的とする。
【課題を解決するための手段】
【０００６】
前記課題を解決する為の主たる発明は、イエローの紫外線硬化型インクを媒体に吐出するヘッドユニットと、前記ヘッドユニットと対向する位置にて前記媒体を支持しつつ、前記媒体を搬送方向の下流側へ搬送する搬送ユニットと、前記媒体上の前記紫外線硬化型インクに向けて紫外線を照射するＬＥＤ照射部であって、前記搬送方向の上流側の部位の照射面から前記媒体の支持部までの距離の方が、前記搬送方向の下流側の部位の照射面から前記媒体の支持部までの距離よりも長いＬＥＤ照射部と、を備え、前記ＬＥＤ照射部における前記搬送方向の上流側の部位は、前記照射面と交差する方向に移動可能であり、第１モードが設定されている場合、前記ＬＥＤ照射部における前記搬送方向の上流側の部位の前記距離を、前記搬送方向の下流側の部位の前記距離よりも長くし、前記第１モードで印刷される画像よりも高い光沢度の画像が印刷される第２モードが設定されている場合、前記ＬＥＤ照射部における前記搬送方向の上流側の部位の前記距離を、前記搬送方向の下流側の部位の前記距離と等しくする、ことを特徴とする印刷装置である。
本発明の他の特徴は、本明細書、及び添付図面の記載により、明らかにする。
【図面の簡単な説明】
【０００７】
【図１】プリンターの全体構成を示すブロック図である。
【図２】プリンターの概略断面図である。
【図３】図３Ａから図３Ｃは比較例の印刷方法を説明する図である。
【図４】本実施形態の印刷方法を説明する図である。
【図５】図５Ａ及び図５Ｂは実施例１のＬＥＤ照射部を説明する図であり、図５ＣはＬＥＤの照射面からの距離と照射強度との関係を説明する図である。
【図６】図６Ａはマット調モード時のＬＥＤ照射部を示す図であり、図６Ｂはグロス調モード時のＬＥＤ照射部を示す図である。
【図７】ＬＥＤ照射部の変形例を説明する図である。
【発明を実施するための形態】
【０００８】
＝＝＝開示の概要＝＝＝
本明細書の記載、及び添付図面の記載により、少なくとも次のことが明らかとなる。  
即ち、イエローの紫外線硬化型インクを媒体に吐出するヘッドユニットと、前記ヘッドユニットと対向する位置にて前記媒体を支持しつつ、前記媒体を搬送方向の下流側へ搬送する搬送ユニットと、前記媒体上の前記紫外線硬化型インクに向けて紫外線を照射するＬＥＤ照射部であって、前記搬送方向の上流側の部位の照射面から前記媒体の支持部までの距離の方が、前記搬送方向の下流側の部位の照射面から前記媒体の支持部までの距離よりも長いＬＥＤ照射部と、を備えることを特徴とする印刷装置である。  
このような印刷装置によれば、紫外線硬化型インクに対して、弱いエネルギーの紫外線を照射した後に、強いエネルギーの紫外線を照射することができ、耐擦性のあるマット調の画像を印刷することができる。
【０００９】
かかる印刷装置であって、前記ＬＥＤ照射部における前記搬送方向の上流側の部位は、前記照射面と交差する方向に移動可能であり、第１モードが設定されている場合、前記ＬＥＤ照射部における前記搬送方向の上流側の部位の前記距離を、前記搬送方向の下流側の部位の前記距離よりも長くし、前記第１モードで印刷される画像よりも高い光沢度の画像が印刷される第２モードが設定されている場合、前記ＬＥＤ照射部における前記搬送方向の上流側の部位の前記距離を、前記搬送方向の下流側の部位の前記距離と等しくすること。  
このような印刷装置によれば、印刷モードに応じた光沢度の画像を印刷することができる。
【００１０】
かかる印刷装置であって、前記ヘッドユニットは、シアンとマゼンタのうちの少なくとも一方の紫外線硬化型インクを前記媒体に吐出し、前記シアンとマゼンタのうちの少なくとも一方の紫外線硬化型インクは、前記ＬＥＤ照射部のピーク波長の光を吸収する補助剤を含有すること。  
このような印刷装置によれば、より確実にマット調の画像を印刷することができる。
【００１１】
かかる印刷装置であって、前記ヘッドユニットは、ブラックの紫外線硬化型インクを前記媒体に吐出すること。  
このような印刷装置によれば、耐擦性のあるマット調の画像を印刷することができる。
【００１２】
また、イエローの紫外線硬化型インクを吐出するヘッドユニットと、前記ヘッドユニットと対向する位置にて媒体を支持しつつ前記媒体を搬送方向の下流側へ搬送する搬送ユニットと、紫外線を照射するＬＥＤ照射部と、を備える印刷装置による印刷方法であって、前記ヘッドユニットが前記媒体に前記紫外線硬化型インクを吐出することと、前記ＬＥＤ照射部であって、前記搬送方向の上流側の部位の照射面から前記媒体の支持部までの距離の方が前記搬送方向の下流側の部位の照射面から前記媒体の支持部までの距離よりも長いＬＥＤ照射部が、前記搬送ユニットにより前記搬送方向の下流側へ搬送される前記媒体上の前記紫外線硬化型インクに向けて、紫外線を照射することと、を備えることを特徴とする印刷方法。  
このような印刷方法によれば、紫外線硬化型インクに対して、弱いエネルギーの紫外線を照射した後に、強いエネルギーの紫外線を照射することができ、耐擦性のあるマット調の画像を印刷することができる。
【００１３】
＝＝＝印刷システム＝＝＝
「印刷装置」をインクジェットプリンター（以下、プリンター）とし、プリンターとコンピューターが接続された印刷システムを例に挙げて、実施形態を説明する。  
図１は、プリンター１の全体構成を示すブロック図であり、図２は、媒体Ｓの搬送方向と交差する幅方向に見たプリンター１の概略断面図である。  
本実施形態のプリンター１は、紫外線が照射されると硬化する紫外線硬化型インク（以下、ＵＶインク）を用いて、媒体Ｓ（用紙，布，プラスチックフィルム等）に画像を印刷する。ＵＶインクは、光重合開始剤、紫外線硬化樹脂（モノマーやオリゴマー）、着色剤等を含有する。ＵＶインクに紫外線が照射されると、光重合開始剤が光を吸収してラジカル等の活性種を生成し、これにより紫外線硬化樹脂にて重合反応が起こり、ＵＶインクは硬化する。
【００１４】
コンピューター６０は、プリンター１と通信可能に接続されており、内部にインストールされているプリンタードライバーによって、プリンター１に画像を印刷させるための印刷データをプリンター１に出力する。プリンタードライバーは、ＣＤ−ＲＯＭなどの記録媒体に記録されていたり、インターネットを介してコンピューター６０にダウンロード可能であったりする。
【００１５】
コントローラー１０は、プリンター１の制御を行うための制御ユニットであり、インターフェース部１１と、ＣＰＵ１２と、メモリー１３と、ユニット制御回路１４とを有する。インターフェース部１１は、外部装置であるコンピューター６０とプリンター１との間でデータの送受信を行う。ＣＰＵ１２は、プリンター１の全体の制御を行うための演算処理装置である。メモリー１３は、ＣＰＵ１２のプログラムを格納する領域や作業領域等を確保するためのものである。そして、ＣＰＵ１２は、メモリー１３に格納されているプログラムに従って、ユニット制御回路１４を介して各ユニットを制御する。また、プリンター１内の状況を検出器群５０が監視し、その検出結果に基づいて、コントローラー１０は各ユニットを制御する。
【００１６】
搬送ユニット２０は、ＵＶインクを吐出するヘッド３１と対向する位置にて媒体Ｓを支持しつつ、媒体Ｓを搬送方向の下流側へ搬送するためのものであり、搬送ベルト２１と、搬送ローラー２２ａ，２２ｂと、を有する。不図示のモーターの回転により、搬送ローラー２２ａ，２２ｂが回転し、搬送ベルト２１が回転することによって、搬送ベルト２１上の媒体Ｓは搬送方向の下流側へ搬送される。媒体Ｓは、搬送ベルト２１上を搬送される際に、ヘッド３１やＬＥＤ照射部４１と対向する。なお、本実施形態では搬送ベルト２１が媒体Ｓの支持部に該当する。
【００１７】
ヘッドユニット３０は、媒体ＳにＵＶインクを吐出するためのものであり、複数のヘッド３１を有する。本実施形態のプリンター１は４色のＵＶインク（ＫＣＭＹ）を吐出可能とし、図２に示すように、ブラックのＵＶインクＫを吐出するヘッド３１，シアンのＵＶインクＣを吐出するヘッド３１，マゼンタのＵＶインクＭを吐出するヘッド３１，イエローのＵＶインクＹを吐出するヘッド３１が、搬送方向の上流側から順に並んでいる。
【００１８】
各ヘッド３１の下面には、ＵＶインクの吐出口である多数のノズル開口が、媒体Ｓの搬送方向と交差する幅方向に所定の間隔おきに並んで設けられている。また、幅方向に沿うノズル開口の列の長さは、媒体Ｓの最大幅以上である。ヘッド３１の下を媒体Ｓが通過する際に、ヘッド３１が媒体Ｓに向けてＵＶインクを吐出することにより、媒体Ｓに２次元の画像が印刷される。
【００１９】
また、ノズル開口からのインク吐出方式は、駆動素子（ピエゾ素子）に電圧をかけてインク室を膨張・収縮させることによりノズル開口からインクを吐出させるピエゾ方式でもよいし、発熱素子を用いてノズル内に気泡を発生させ、その気泡によってノズル開口からインクを吐出させるサーマル方式でもよい。
【００２０】
照射ユニット４０は、媒体Ｓ上のＵＶインクに向けて紫外線（光）を照射して、ＵＶインクを硬化するためのものであり、ＬＥＤ照射部４１を有する。本実施形態では、紫外線の照射光源を発光ダイオード（ＬＥＤ：Light Emitting Diode）とする。そのため、ＬＥＤ照射部４１の下面（媒体Ｓとの対向面）には、後述の図５Ｂに示すように複数のＬＥＤ（ＬＥＤ素子を有するＬＥＤパッケージ）が配設されている。また、照射ユニット４０はヘッド３１と同数の４個のＬＥＤ照射部４１を有し、各ヘッド３１の搬送方向の下流側に１個ずつＬＥＤ照射部４１が設けられている。よって、あるヘッド３１から媒体Ｓ上に吐出されたＵＶインクは、そのヘッド３１の直ぐ下流側に位置するＬＥＤ照射部４１からの紫外線により硬化する。
【００２１】
なお、ＬＥＤ照射部４１からの光によってＵＶインクが硬化するように、ＵＶインク内の光重合開始剤が吸収する波長の光を照射するＬＥＤ照射部４１を使用する。本実施形態では、ピーク波長を３９５ｎｍとするＬＥＤ照射部４１を使用するが、これに限らない。一般的なＵＶインクが硬化するように、３５５ｎｍ以上４２０ｎｍ以下の範囲にピーク波長を有するＬＥＤ照射部４１を使用するとよい。
【００２２】
また、図２に示すようにヘッド３１ごとにＬＥＤ照射部４１を設けるに限らず、例えば、搬送方向の最下流側の位置にＬＥＤ照射部４１を１個だけ配置してもよい。また、媒体Ｓの単位面積当たりに吐出されるＵＶインクに対して照射される紫外線の照射エネルギー（ｍＪ／ｃｍ２）は、紫外線の照射強度（ｍＷ／ｃｍ２）と照射時間（ｓ）の積で定められる。
【００２３】
また、以下の説明では、媒体Ｓの単位面積当たりのインク吐出量（換言すると、「媒体Ｓの単位面積に相当する画素数」のうちの「ドットが形成される画素数」の割合）を、「インクＤｕｔｙ」と呼ぶ。そして、媒体Ｓの単位面積当たりに吐出されるインク量が多い場合にインクＤｕｔｙが高いとし、逆に、媒体Ｓの単位面積当たりに吐出されるインク量が少ない場合に、インクＤｕｔｙが低いとする。また、４色のＵＶインク（ＫＣＭＹ）を適宜使用して印刷する画像（モノクロ画像を含む）をカラー画像と呼ぶ。
【００２４】
＝＝＝比較例の印刷方法＝＝＝
図３Ａから図３Ｃは、比較例の印刷方法を説明する図である。図３Ａは、低インクＤｕｔｙのカラー画像を示し、図３Ｂは、高インクＤｕｔｙのカラー画像を示す。図３Ａ及び図３Ｂに示す比較例の印刷方法では、最初からカラー画像に対して比較的に強いエネルギーの光（紫外線）を照射し、カラー画像の表層部から内部までを一気に硬化する。
【００２５】
ＵＶインクは比較的に粘度が高いので、媒体Ｓに着弾した直後のＵＶインク滴は粒状に隆起した状態となる。そのため、低インクＤｕｔｙのカラー画像を印刷する場合、図３Ａに示すように、各ＵＶインク滴が媒体Ｓ上の離れた位置に着弾する。その後、強いエネルギーの光が照射されることにより、粒状のＵＶインク滴がそれぞれ独立した状態で一気に硬化される。よって、画像表面が凹凸形状となり、画像に照射された光が乱反射するため、画像の光沢度が低くなる。即ち、マット調の画像が印刷される。
【００２６】
一方、高インクＤｕｔｙのカラー画像を印刷する場合、媒体Ｓの大部分がＵＶインク滴で覆われ、媒体Ｓに着弾したＵＶインク滴同士が繋がるため、図３Ｂに示すように、ＵＶインクによる画像表面が平坦化される。その後、強いエネルギーの光が照射されることにより、画像の表層部から内部までが一気に硬化される。この場合、画像表面が滑らかな状態で硬化され、画像の光沢度が高くなってしまう。即ち、マット調の画像ではなく、グロス調の画像が印刷される。
【００２７】
つまり、低インクＤｕｔｙのカラー画像を印刷する場合には、強いエネルギーの光（紫外線）で一気にＵＶインクを硬化しても、マット調の画像を印刷することができるが、高インクＤｕｔｙのカラー画像を印刷する場合には、強いエネルギーの光（紫外線）で一気にＵＶインクを硬化してしまうと、マット調の画像を印刷することができない。
【００２８】
図３Ｃは、カラー画像上にクリアインク滴を吐出した様子を示す図である。図３Ｂに示すような表面が滑らかな高インクＤｕｔｙのカラー画像であっても、その上にクリアインク滴を疎らに吐出することで、画像表面を凹凸形状にすることができ、マット調の画像を印刷することができる。しかし、カラー画像を構成するインクと異なるクリアインクで凸部を形成するため、カラー画像からクリアインクが剥がれ易く、耐擦性が悪い。また、カラー画像を印刷するインクに加えてクリアインクを使用するため、コストが上がってしまう。
【００２９】
そこで、本実施形態では、高インクＤｕｔｙのカラー画像を印刷する場合にも、クリアインクを使用せずに、耐擦性のあるマット調の画像を印刷することを目的とする。
【００３０】
＝＝＝本実施形態の印刷方法＝＝＝
図４は、本実施形態の印刷方法を説明する図である。本実施形態の印刷方法では、例えば、イエローのＵＶインクによる高インクＤｕｔｙのイエロー画像に対して、最初に弱いエネルギーの光（紫外線）を照射して画像の表層部だけを硬化した後に、強いエネルギーの光（紫外線）を照射して画像の内部まで画像全体を硬化する。そうすることで、図４に示すように、画像表面にシワを寄せ、画像表面を凹凸形状にすることができる。即ち、マット調の画像を印刷することができる。
【００３１】
このように画像表面にシワが寄る現象は、最初に弱いエネルギーの光を照射して画像の表層部だけを硬化することで、画像の表層部の方が内部よりも硬化による体積収縮が大きくなり、画像の表層部と内部とで体積バランスが崩れることにより発生すると考えられる。
【００３２】
また、画像表面にシワが寄る現象は、マゼンタやシアンのＵＶインクによる画像よりも、イエローのＵＶインクによる画像において顕著に現れた。これは、ＵＶインクの硬化に寄与する光の波長領域、即ち、光重合開始剤が吸収する光の波長領域が、青色光の波長領域に含まれているか、又は、それに近いことが原因と考えられる。そのため、青色光を吸収するために青色光の波長領域に吸収領域を有するイエローインクでは、マゼンタやシアンインクに比べて、硬化に寄与する波長の光が着色剤で吸収され易く、画像内部まで光が届き難い。即ち、イエローインクでは、マゼンタやシアンインクに比べて、硬化に寄与する波長の光の透過性が悪い。
【００３３】
そのため、本実施形態の印刷方法のように最初に弱いエネルギーの光を照射すると、イエロー画像の内部の光重合開始剤まで光が届かず、画像の表層部だけが硬化する。ゆえに、本実施形態の印刷方法によれば、イエロー画像の表面にシワを寄せて画像表面を凹凸形状にすることができ、マット調のイエロー画像を印刷することができる。
【００３４】
同様に、ブラックのＵＶインクも、マゼンタやシアンのＵＶインクに比べて、硬化に寄与する波長の光が着色剤で吸収され易く、画像内部の光重合開始剤まで光が届き難い。そのため、ブラックのＵＶインクによる画像に対しても、最初に弱いエネルギーの光を照射することで、画像の表層部だけを硬化することができる。その結果、ブラック画像の表面にもシワを寄せて画像表面を凹凸形状にすることができ、マット調のブラック画像を印刷することができる。
【００３５】
また、インクＤｕｔｙが高く、厚みのある画像ほど、表面にシワが寄る現象が発生し易く、マット調の画像になり易い。これは、画像の厚さが厚いほど、画像内部の光重合開始剤まで光が届き難く、画像内部が硬化し難くなるからである。従って、図３Ｂに示す比較例の印刷方法では高インクＤｕｔｙの画像ほど光沢度が高くなってしまうが、本実施形態の印刷方法によれば、高インクＤｕｔｙの画像ほど、表面にシワが寄り易く、マット調の画像になり易い。
【００３６】
以上のように、本実施形態のプリンター１では、マット調の画像を印刷するために、媒体Ｓ上のＵＶインクに対して、最初に弱いエネルギーの光（紫外線）を照射した後に、それよりも強いエネルギーの光（紫外線）を照射する。その結果、イエローやブラックインクを使用した画像では、最初に画像の表層部だけが硬化するため、画像表面にシワを寄せ、画像表面を凹凸形状にすることができる。ゆえに、高インクＤｕｔｙの画像を印刷する場合にも、光沢度の低いマット調の画像を印刷することができる。
【００３７】
また、弱いエネルギーの光（紫外線）の後に強いエネルギーの光（紫外線）を照射するため、画像全体が硬化し、媒体Ｓに画像を定着させることができる。また、クリアインクを使用せずに画像表面を凹凸形状にするため、耐擦性のあるマット調画像を印刷することができる。また、クリアインクを使用しないので、コストを下げることもできる。
【００３８】
また、前述のように、最初に弱いエネルギーの光（紫外線）を照射したとしても、マゼンタやシアンインクによる画像では、イエローやブラックインクによる画像に比べて、画像の内部まで硬化し易く、画像表面にシワが寄り難い。即ち、マット調の画像になり難い。しかし、マゼンタやシアンインクは、一般的に、イエローやブラックインクと重ねて使用される。そのため、マゼンタやシアンインクの画像表面が凹凸形状になり難くとも、イエローやブラックインクの画像表面が凹凸形状になるため、画像全体の表面を凹凸形状にすることができ、マット調の画像を印刷することができる。
【００３９】
また、ブラックインクよりもイエローインクの方が、マゼンタやシアンインクと重ねて使用される確率が高い。そこで、図２に示すように、イエローインクを吐出するヘッド３１を搬送方向の最下流側に配置する。そうすることで、マゼンタやシアンインクの画像上に、表面が凹凸形状になり易いイエローインクの画像を重ねて形成することができる。そのため、イエローインクの画像表面を画像全体の表面にすることができ、画像全体の表面がより凹凸形状になり易い。よって、より確実にマット調の画像を印刷することができる。ただし、これに限らず、例えば、ブラックインクを吐出するヘッド３１を搬送方向の最下流側に配置してもよく、この場合にも、表面が凹凸形状になり易いブラックインクの画像表面を画像全体の表面にすることができ、より確実にマット調の画像を印刷することができる。
【００４０】
＝＝＝実施例１＝＝＝
図５Ａ及び図５Ｂは、実施例１のＬＥＤ照射部４１を説明する図であり、図５Ｃは、ＬＥＤの照射面からの距離と照射強度との関係を説明する図である。図５Ａは、搬送方向と交差する幅方向に見たＬＥＤ照射部４１の断面図であり、図５Ｂは、ＬＥＤ照射部４１の下面におけるＬＥＤの配置を示す図である。ＬＥＤ照射部４１の下面では、幅方向に沿って１０個のＬＥＤが並ぶ「ＬＥＤ列」が１０個形成され、１０個のＬＥＤ列（Ｌ１〜Ｌ１０）が搬送方向に沿って並んでいる。以下の説明のため、搬送方向上流側のＬＥＤ列から順に小さい番号を付す（Ｌ１，Ｌ２…）。また、図５Ａ及び図５Ｂに示すＬＥＤ照射部４１は、図２に示すように、各色のインク（ＫＣＭＹ）を吐出するヘッド３１ごとに搬送方向下流側に配置されたものである。
【００４１】
実施例１のＬＥＤ照射部４１では、搬送方向における中間地点に段差が設けられ、搬送方向上流側の部位（以下、上流部４１１）が、搬送方向下流側の部位（以下、下流部４１２）に比べて、媒体Ｓとは反対側に（上側に）引っ込んでいる。つまり、上流部４１１の照射面４１１ａから媒体Ｓの支持部（搬送ベルト２１）までの距離Ｄ１の方が、下流部４１２の照射面４１２ａから媒体Ｓの支持部（搬送ベルト２１）までの距離Ｄ２よりも、長い（Ｄ１＞Ｄ２）。換言すると、上流部４１１の方が下流部４１２に比べて、照射面から媒体Ｓまでの距離が長い。なお、照射面から媒体Ｓ（支持部）までの距離とは、照射面や媒体Ｓに直交する方向（図５Ａの上下方向）に沿う長さである。また、上流部４１１の照射面４１１ａ、及び、下流部４１２の照射面４１２ａは、媒体Ｓの面と平行である（水平である）。
【００４２】
ＬＥＤから照射される光（紫外線）の強度は、図５Ｃに示すように、ＬＥＤの照射面から離れる程に弱くなる。そのため、実施例１のＬＥＤ照射部４１のように、上流部４１１の方が下流部４１２に比べて、照射面から媒体Ｓまでの距離が長い場合、上流部４１１が媒体Ｓ上のＵＶインクに照射する光の照射強度の方が、下流部４１２が媒体Ｓ上のＵＶインクに照射する光の照射強度よりも弱くなる。また、搬送ベルト２１上を搬送される媒体Ｓは、ＬＥＤ照射部４１の下流部４１２よりも先に上流部４１１と対向する。即ち、ＬＥＤ照射部４１の上流部４１１の方が下流部４１２よりも先に媒体Ｓ上のＵＶインクに紫外線を照射する。
【００４３】
そのため、実施例１のＬＥＤ照射部４１の下を通過する媒体Ｓ上のＵＶインクに向けて、最初は、上流部４１１により弱いエネルギーの光（紫外線）が照射され、その後に、下流部４１２により強いエネルギーの光（紫外線）が照射される。従って、イエローやブラックインクを使用した画像では、最初に画像の表層部だけが硬化するため、図４に示すように画像表面にシワを寄せ、画像表面を凹凸形状にすることができる。
【００４４】
つまり、実施例１のＬＥＤ照射部４１によって画像に光（紫外線）を照射することで、イエローインクとブラックインクの少なくとも一方を使用した画像では、画像全体の表面を凹凸形状にすることができ、光沢度の低いマット調の画像を印刷することができる。また、クリアインクを使用しないため、耐擦性のあるマット調の画像を印刷することができる。
【００４５】
なお、図５Ａ及び図５Ｂでは、ＬＥＤ照射部４１の上流部４１１に属するＬＥＤ列（Ｌ１〜Ｌ４）の数（４個）を、下流部４１２に属するＬＥＤ列（Ｌ５〜Ｌ１０）の数（６個）よりも少なくしているが、これに限らない。上流部４１１に属するＬＥＤ列の数を、下流部４１２に属するＬＥＤ列の数よりも多くしてもよいし、同じにしてもよい。
【００４６】
＝＝＝実施例２＝＝＝
図６Ａは、マット調モード時のＬＥＤ照射部４１を示す図であり、図６Ｂは、グロス調モード時のＬＥＤ照射部４１を示す図である。実施例２では、プリンター１が、ユーザーの用途に応じて光沢度の異なる２種類の画像を印刷する。そのために、プリンター１は「マット調モード」と「グロス調モード」を備える。マット調モードが設定されている場合、プリンター１は、画像表面の凹凸が大きく、光沢度の低いマット調の画像を印刷する。一方、グロス調モードが設定されている場合、プリンター１は、画像表面が滑らかで、マット調モードで印刷される画像よりも高い光沢度であるグロス調の画像を印刷する。
【００４７】
前述の図４や実施例１にて説明しているように、媒体Ｓ上のＵＶインクに対して、最初に弱いエネルギーの光（紫外線）を照射した後に、強いエネルギーの光を照射することで、画像表面にシワを寄せて画像表面を凹凸形状にすることができ、マット調の画像を印刷することができる。そのため、逆にグロス調モードが設定されている場合に、媒体Ｓ上のＵＶインクに対して、最初に弱いエネルギーの光を照射した後に強いエネルギーの光を照射してしまうと、画像表面が凹凸形状になってしまい、光沢度の高いグロス調の画像を印刷することができない。
【００４８】
そこで、プリンター１は、マット調モードが設定されている場合には、媒体Ｓ上のＵＶインクに対して、最初に弱いエネルギーの紫外線を照射した後に、それよりも強いエネルギーの紫外線を照射し、グロス調モードが設定されている場合には、媒体Ｓ上のＵＶインクに対して、最初から強いエネルギーの紫外線を照射する。即ち、マット調モード時の最初のエネルギーよりも強いエネルギーの紫外線を照射する。
【００４９】
そのために、実施例２で使用するＬＥＤ照射部４１では、上流部４１１が上下方向（照射面と交差する方向、一般的には直交する方向）に移動可能な構成となっている。ただし、説明の簡略のために、図６では上流部４１１の移動機構を省略する。また、ここでは、プリンター１内のコントローラー１０が上流部４１１の上下方向の位置を調整する。
【００５０】
そして、マット調モード（第１モードに相当）が設定されている場合（図６Ａ）、上流部４１１の照射面４１１ａから媒体Ｓの支持部（搬送ベルト２１）までの距離Ｄ１が、下流部４１２の照射面４１２ａから媒体Ｓの支持部までの距離Ｄ２よりも長くなるように（Ｄ１＞Ｄ２）、コントローラー１０は上流部４１１を上下方向の上側に移動させる。
【００５１】
一方、グロス調モード（第２モードに相当）が設定されている場合（図６Ｂ）、上流部４１１の照射面４１１ａから媒体Ｓの支持部までの距離Ｄ１が、下流側４１２の照射面４１２ａから媒体Ｓの支持部までの距離Ｄ２と等しくなるように（Ｄ１＝Ｄ２）、コントローラー１０は上流部４１１を上下方向の下側に移動させる。
【００５２】
そうすることで、マット調モード時のＬＥＤ照射部４１では、上流部４１１の方が下流部４１２よりも、照射面から媒体Ｓまでの距離が長くなり、上流部４１１が媒体Ｓ上のＵＶインクに照射する光の照射強度の方が、下流部４１２が媒体Ｓ上のＵＶインクに照射する光の照射強度よりも弱くなる。そのため、媒体Ｓ上のＵＶインクに対して、最初は、上流部４１１により弱いエネルギーの光（紫外線）を照射し、その後に、下流部４１２により強いエネルギーの光を照射することができる。
【００５３】
その結果、イエローやブラックインクによる画像では、最初に画像の表層部だけが硬化するため、画像表面にシワを寄せ、画像表面を凹凸形状にすることができる。ゆえに、高インクＤｕｔｙの画像を印刷する場合であっても、イエローインクとブラックインクの少なくとも一方を使用した画像では、画像全体の表面を凹凸形状にすることができ、光沢度の低いマット調の画像を印刷することができる。また、クリアインクを使用しないため、耐擦性のあるマット調の画像を印刷することができる。
【００５４】
なお、マット調モード時に低インクＤｕｔｙの画像を印刷する場合には、最初に弱いエネルギーの紫外線を照射しなくても、即ち、最初から強いエネルギーの紫外線を照射しても、図３Ａに示すようにマット調の画像を印刷することができる。しかし、ここでは、マット調モードが設定されている場合には、インクＤｕｔｙに関係なく、上流部４１１を上側に移動する。そうすることで、コントローラー１０の制御を容易にすることができる。
【００５５】
一方、グロス調モード時のＬＥＤ照射部４１では、上流部４１１と下流部４１２とで、照射面から媒体Ｓまでの距離が等しくなり、上流部４１１が媒体Ｓ上のＵＶインクに照射する光の照射強度が、下流部４１２が媒体Ｓ上のＵＶインクに照射する光の照射強度と同等に強くなる。また、グロス調モード時の上流部４１１の方がマット調モード時の上流部４１１に比べて、照射面から媒体Ｓまでの距離が短く、照射強度も強くなる。そのため、媒体Ｓ上のＵＶインクに対して、上流部４１１により最初から強いエネルギーの光を照射し、その後も下流部４１２により強いエネルギーの光を照射することができる。
【００５６】
その結果、画像全体を一気に硬化することができ、画像表面が滑らかな状態で硬化される。ゆえに、高インクＤｕｔｙの画像を印刷する場合には、図３Ｂに示すように画像表面を平滑化し、光沢度の高いグロス調の画像を印刷することができる。なお、低インクＤｕｔｙの画像（図３Ａ）を印刷する場合には、画像の上からクリアインクを吐出することにより、画像表面を平滑化し、グロス調の画像を印刷するとよい。
【００５７】
以上のように、ＬＥＤ照射部４１の上流部４１１の上下方向の位置を印刷モードに応じて調整し、上流部４１１の照射面４１１ａから媒体Ｓ（支持部）までの距離を調整することで、印刷モードに応じた光沢度の画像を印刷することができる。
【００５８】
なお、ここでは、マット調モードとグロス調モードとで共通のＬＥＤ照射部４１を使用するために、上流部４１１を上下方向に移動可能にしているが、これに限らない。例えば、図６Ａに示すように上流部４１１の照射面４１１ａから媒体Ｓまでの距離が長いマット調モード用のＬＥＤ照射部４１とは別に、図６Ｂに示すように上流部４１１の照射面４１１ａから媒体Ｓまでの距離が短いグロス調モード用のＬＥＤ照射部４１を設けてもよい。
【００５９】
＝＝＝実施例３＝＝＝
前述のように、ＬＥＤ照射部４１からの光によってＵＶインクが硬化するように、ＵＶインク内の光重合開始剤が吸収する波長の光を照射するＬＥＤ照射部４１を使用する。そのため、ＬＥＤ照射部４１のピーク波長は、光重合開始剤が吸収する光の波長領域内に含まれる。
【００６０】
また、マゼンタやシアンインクの着色剤は、イエローやブラックインクの着色剤に比べて、ＵＶインクの硬化に寄与する波長の光、即ち、光重合開始剤が吸収する波長の光を吸収し難い。よって、マゼンタやシアンインクによる画像に対して最初に弱いエネルギーの光を照射しても、画像内部の光重合開始剤まで光が届き、画像内部まで硬化してしまう。そのため、マゼンタやシアンインクによる画像では、画像表面にシワが寄り難く、マット調の画像になり難い。
【００６１】
そこで、実施例３では、シアン及びマゼンタのＵＶインクに、ＬＥＤ照射部４１のピーク波長の光を吸収する補助剤を含有させる。そうすると、シアンやマゼンタインクの画像に光が照射されたときに、光重合開始剤が吸収する波長の光を補助剤が吸収するため、光の透過性が悪くなる。そのため、マット調の画像を印刷したい場合に最初に弱いエネルギーの光を照射することで、シアンやマゼンタの画像内部の光重合開始剤まで光が届き難くなり、画像内部を硬化させずに表層部だけを硬化させることができる。その結果、画像表面にシワを寄せて画像表面を凹凸形状にすることができ、マット調の画像を印刷することができる。
【００６２】
このように実施例４では、イエローやブラックインクによる画像だけでなく、シアンやマゼンタインクによる画像においても、画像表面を凹凸形状にすることができるため、画像全体の表面の凹凸をより大きくすることができ、マット調の画像をより確実に印刷することができる。また、イエローやブラックインクを使用しない場合にも、マット調の画像を印刷することができる。なお、シアンとマゼンタのうちの一方の色のＵＶインクだけに補助剤を含有させてもよい。
【００６３】
なお、ＬＥＤ照射部４１のピーク波長（３９５ｎｍ）の光を吸収する補助剤として、以下の組成のものが挙げられる。例えば、１-(フェニル)エタノン、ジ(4-メトキシフェニル)ジケトン、１,２-ビス(フェニル)エタンジオン、α-ヒドロキシ-α-フェニルアセトフェノン、１,２-ジフェニル-２-エトキシエタノン、１,２-ジフェニル-２-(イソブトキシ)エタノン、１,２-ジフェニル-２-(イソプロピルオキシ)エタン-１-オン、１-[(ジフェニルホスフィニル)カルボニル]-２,４,６-トリメチルベンゼン、２-(メトキシカルボニル)ベンゾフェノンが挙げられる。
【００６４】
＝＝＝変形例＝＝＝
＜ＬＥＤ照射部４１＞
図７は、ＬＥＤ照射部４１の変形例を説明する図である。上記実施例のＬＥＤ照射部４１（図５Ａ）では、搬送方向の中間位置に段差が設けられ、上流部４１１の照射面４１１ａ及び下流部４１２の照射面４１２ａが媒体Ｓの面と平行になっているが、これに限らない。例えば、図７に示すＬＥＤ照射部４１のように、媒体Ｓの面に対して照射面４１ａを搬送方向に傾斜させてもよい。具体的に言うと、照射面４１ａのうち、搬送方向下流側の部位の方が上流側の部位よりも上下方向の下側に位置するように、照射面４１ａを傾斜させる。そうすることで、搬送方向の上流側から下流側にかけて、照射面４１ａから媒体Ｓ（搬送ベルト２１）までの距離が徐々に狭くなる（ｄ１＞ｄ２＞ｄ３）。
【００６５】
このようなＬＥＤ照射部４１であっても、搬送方向上流側の部位の照射強度を、下流側の部位の照射強度よりも弱くすることができる。そのため、媒体Ｓ上のＵＶインクに対して最初に弱いエネルギーの光（紫外線）を照射した後に、強いエネルギーの光を照射することができ、マット調の画像を印刷することができる。
【００６６】
また、上記実施例のＬＥＤ照射部４１（図５Ａ）には段差が１つだけ設けられ、照射面から媒体Ｓ（搬送ベルト２１）までの距離を１回だけ変化させているが、これに限らない。例えば、ＬＥＤ照射部４１に２つ以上の段差を設け、照射面から媒体Ｓまでの距離を複数回変化させてもよい。
【００６７】
＜プリンター１＞
上記の実施形態では、媒体Ｓの幅長さに亘って延びた固定されたヘッド３１の下を媒体Ｓが通過する際に、ヘッド３１が媒体Ｓに向けてインクを吐出することにより、媒体Ｓに２次元の画像を印刷するプリンターを例に挙げているが、これに限らない。例えば、ヘッドが移動方向に移動しながら媒体にインクを吐出する動作と、ヘッドに対して媒体を搬送方向の下流側に搬送する動作と、を交互に繰り返し、ヘッドよりも搬送方向の下流側に配置されたＬＥＤ照射部４１（図５Ａ）により媒体Ｓ上のＵＶインクを硬化するプリンターでもよい。
【００６８】
また、媒体に対してヘッドを移動方向の一方側に移動させるキャリッジ（不図示）にＬＥＤ照射部４１を搭載するプリンター１でもよい。この場合、ヘッドよりも移動方向における他方側にＬＥＤ照射部４１を配置する。そして、ＬＥＤ照射部における移動方向一方側の部位の照射面から媒体までの距離を、他方側の部位の照射面から媒体までの距離よりも長くする。この場合にも、移動方向に移動するヘッドから吐出されたＵＶインクに対して、最初に弱いエネルギーの光を照射した後に、強いエネルギーの光を照射することができ、マット調の画像を印刷することができる。
【００６９】
また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７０】
１  プリンター、１０  コントローラー、１１  インターフェース部、
１２  ＣＰＵ、１３  メモリー、１４  ユニット制御回路、
２０  搬送ユニット、２１  搬送ベルト、２２ａ  搬送ローラー、
２２ｂ  搬送ローラー、３０  ヘッドユニット、３１  ヘッド、
４０  照射ユニット、４１  ＬＥＤ照射部、４１１  上流部、４１２  下流部、
５０  検出器群、６０  コンピューター
【図１】
0005970874.tif 000002
【図２】
0005970874.tif 000003
【図３】
0005970874.tif 000004
【図４】
0005970874.tif 000005
【図５】
0005970874.tif 000006
【図６】
0005970874.tif 000007
【図７】
0005970874.tif 000008